(57)【要約】【課題】ソータや裏印字がないプリンタへ出力する場合に、注文単位でプリント出力を一時停止することで、複数のプリント注文を連続して処理する場合でもオペレータがプリントの仕分けを容易に行えるようにする。【解決手段】送信キューの送信ジョブはプリントが完了するごとに中断され、オペレータからの指示で以降の送信キューの処理が再開する。複数のプリント注文があっても、異なるプリント注文に対するプリントが混ざってプリンタ３から出力されることがないので、オペレータはプリント注文単位で完了したプリントを回収してそれらをプリント注文単位で仕分けすることができる。【選択図】  図２
2011164414.tif 000002
【特許請求の範囲】
【請求項１】
情報処理装置が、
複数のプリント注文情報に対応するプリントデータのプリンタへの出力の待ち行列を作成するステップと、
前記待ち行列からプリントデータを前記プリンタに出力するステップと、
前記プリンタに既に出力されたプリントデータに基づくプリント処理を前記プリンタが完了したことに応じて、前記待ち行列からプリントデータを前記プリンタに出力することを中断するステップと、
前記中断を解除する選択を受け付けるステップと、
前記中断を解除する選択を受け付けたことに応じ、前記待ち行列からプリントデータをプリンタに出力することを再開するステップと、
を実行するプリント方法。
【請求項２】
情報処理装置が、
前記待ち行列から前記中断を解除するプリントデータの選択を受け付けるステップと、
前記中断を解除する選択を受け付けたことに応じ、前記待ち行列から選択されたプリントデータをプリンタに出力するステップと、
を実行する請求項１に記載のプリント方法。
【請求項３】
情報処理装置が、
前記待ち行列から前記中断を解除するプリントデータの注文者の識別情報の選択を受け付けるステップと、
前記中断を解除する選択を受け付けたことに応じ、前記選択の受け付けられた注文者の識別情報に対応するプリントデータをプリンタに出力するステップと、
を実行する請求項２に記載のプリント方法。
【請求項４】
プリントデータの出力先の選択を受け付けるステップと、
前記中断を解除する選択を受け付けたことに応じ、前記待ち行列からプリントデータを前記選択されたプリンタに出力するステップと、
を実行する請求項１〜３のいずれかに記載のプリント方法。
【請求項５】
請求項１〜４のいずれかに記載のプリント方法を情報処理装置が実行するためのプログラム。
【請求項６】
請求項１〜４のいずれかに記載のプリント方法を実行する情報処理装置。
【請求項７】
請求項６に記載の情報処理装置と、
前記情報処理装置から出力されたプリントデータに基づくプリント処理を行うプリンタと、
を備えるプリントシステム。
【発明の詳細な説明】
【技術分野】
【０００１】
本発明は、複数のプリント注文処理に対応するプリントの仕分けに関する。
【背景技術】
【０００２】
特許文献１の発明は、サイズ別仕分け出力が指定されている印刷依頼を受け付けた場合、サイズ別仕分け出力が指定されている印刷範囲の印刷データの印刷ジョブ、およびそれ以外の印刷範囲の印刷データの印刷ジョブを別々に作成し、サイズ別仕分け出力の印刷ジョブに対してのみページ並べ替え処理を施し、逆順で出力する。
【０００３】
特許文献２の発明は以下の手段を有する画像形成システムとする。
【０００４】
（１）画像情報発生手段
（２）画像形成ジョブ保持手段
（３）結合ジョブ選択手段
（４）結合仕分け画像形成指示手段
（５）画像形成手段
（６）制御手段。
【０００５】
特許文献３では、待機系サーバの中間ドライバは、主系サーバの障害を検知した場合に、当該主系サーバが提供するサービスで使用されるＩＰアドレスの使用停止を当該主系サーバに要求するための停止パケットを待機系サーバのネットワークドライバ及びネットワークを介して当該主系サーバ宛てに送信する。主系サーバの中間ドライバは、停止パケットを受信した場合に、当該主系サーバをネットワークドライバとＴＣＰ／ＩＰモジュールとの間のデータ送受信が不可となる特定状態に設定する。
【０００６】
特許文献４は、各プリントジョブ毎に異なる色で裏印字情報を記録することで、異なるプリントジョブの画像が混入したことを容易に検出することができるとする。
【０００７】
特許文献５のプリンタは、１つ以上の画像を表わす１つ以上の画像データからなる画像データセットを１つ以上順次に受け取るデータ受取部、データ受取部で受け取られた画像データに基づいた画像を、所定の搬送経路を搬送されて来る長尺の記録媒体に並べてプリントするプリント部、および、データ受取部で受け取られた各画像データセットについて、プリント部でプリントされたどの画像がその画像データセットに所属する画像データに基づく画像であるかを示す所属情報を記録媒体に書き込むセット情報書込み部を備えた。
【先行技術文献】
【特許文献】
【０００８】
【特許文献１】特開２００５−１８６５２１号公報
【特許文献２】特開２００７−５８５４８号公報
【特許文献３】特開２００８−２８４５６号公報
【特許文献４】特開２００５−１９５８９８号公報
【特許文献５】特開２００５−１１２５０６号公報
【発明の概要】
【発明が解決しようとする課題】
【０００９】
従来のミニラボ向けプリンタでは、プリント注文１件単位でそれぞれ別のソータ（複数の排出トレー）にプリントを出力することで、複数の注文に対応するプリントが仕分けされていた。あるいは、ソータがない場合でもプリントの裏にオーダー番号を印字し、オペレータが裏印字されたオーダー番号を注文リストと照合することで仕分けを行うことができた。しかし、インクジェットプリンタなどの低価格プリンタへプリント出力を行う場合は、複数の注文を続けて処理すると、ソータがないため全てのプリントが同じ排出トレーに混ざって出力されてしまう。またプリンタに裏印字機能もないと、オペレータが仕分けするのは困難である。
【００１０】
本発明は、ソータや裏印字がないプリンタへ出力する場合に、注文単位でプリント出力を一時停止することで、複数のプリント注文を連続して処理する場合でもオペレータがプリントの仕分けを容易に行えるようにすることを目的とする。
【課題を解決するための手段】
【００１１】
本発明は、情報処理装置が、複数のプリント注文情報に対応するプリントデータのプリンタへの出力の待ち行列を作成するステップと、待ち行列からプリントデータをプリンタに出力するステップと、プリンタに既に出力されたプリントデータに基づくプリント処理をプリンタが完了したことに応じて、待ち行列からプリントデータをプリンタに出力することを中断するステップと、中断を解除する選択を受け付けるステップと、中断を解除する選択を受け付けたことに応じ、待ち行列からプリントデータをプリンタに出力することを再開するステップと、を実行するプリント方法を提供する。
【００１２】
好ましくは、情報処理装置が、待ち行列から中断を解除するプリントデータの選択を受け付けるステップと、中断を解除する選択を受け付けたことに応じ、待ち行列から選択されたプリントデータをプリンタに出力するステップと、を実行する。
【００１３】
好ましくは、情報処理装置が、待ち行列から中断を解除するプリントデータの注文者の識別情報の選択を受け付けるステップと、中断を解除する選択を受け付けたことに応じ、選択の受け付けられた注文者の識別情報に対応するプリントデータをプリンタに出力するステップと、を実行する。
【００１４】
好ましくは、プリントデータの出力先の選択を受け付けるステップと、中断を解除する選択を受け付けたことに応じ、待ち行列からプリントデータを選択されたプリンタに出力するステップと、を実行する。
【００１５】
本発明は、このプリント方法を情報処理装置が実行するためのプログラムと情報処理装置を提供する。
【００１６】
本発明は、この情報処理装置と、情報処理装置から出力されたプリントデータに基づくプリント処理を行うプリンタと、を備えるプリントシステムを提供する。
【発明の効果】
【００１７】
本発明では、プリントデータの出力はプリント処理が完了するごとに中断され、オペレータからの指示で以降のプリントデータの出力が再開する。複数のプリント注文があっても、異なるプリント注文に対するプリントが混ざってプリンタから出力されることがないので、オペレータはプリント注文単位で完了したプリントを回収してそれらをプリント注文単位で仕分けすることができる。
【図面の簡単な説明】
【００１８】
【図１】プリントシステムの概略構成を示すブロック図
【図２】店内ワークフローＰＣの内部ブロック図
【図３】プリント処理のフローチャート
【図４】作成キューの例を示す図
【図５】作成キューの表示例を示す図
【図６】選択候補プリンタの表示例の図
【図７】注文者−プリンタテーブルの一例の図
【図８】選択可能注文者の通知例の図
【発明を実施するための形態】
【００１９】
図１は、本発明を適用したプリントシステム１００の概略構成を示すブロック図である。プリントシステム１００は、ＬＡＮなどのネットワーク８で相互に接続された店頭受付機１、店内ワークフローＰＣ２、プリンタ３ｃ〜ｆを含む。店頭受付機１にはプリンタ３ａが、店内ワークフローＰＣ２にはプリンタ３ｂがＵＳＢなどの周辺機器ネットワークで接続されている。プリントシステム１００は別のラボ（写真プリント店）とインターネットなどのネットワークで接続し、プリントデータを送受信してもよい。
【００２０】
店頭受付機１は、ＣＤやＤＶＤなどの各種の記録メディアやメモリカードなどの記憶媒体から、あるいはカメラと接続されたＵＳＢなどの周辺機器接続用汎用インターフェースから、あるいはインターネットやＬＡＮなどのネットワークから、あるいはフィルムスキャナでスキャンした画像（静止画像データまたは動画をキャプチャした静止画である動画コマを含む）を読み込む。店内ワークフローＰＣ２は、店頭受付機１から読み込まれた画像を素材とした画像プリントのプリントデータをプリンタ３ａ〜ｆ（これらを単にプリンタ３で表す場合もある）のいずれかに出力する。ただし、画像プリントの素材がカメラの捉えた被写体を有する画像データに限られない。例えば、被写体でないグラフィックデータやテキストデータを単独であるいは被写体画像データと組み合わせて画像プリントの素材とすることができる。
【００２１】
画像プリントは、フォトブック（ページごとのレイアウトとデザインで表示装置あるいは印刷装置に画像を出力させるためのデータまたはページごとのレイアウトとデザインで画像が印刷された紙などの印刷媒体）、カレンダー、カード、シャッフルプリント、ステンドグラスなどの様々な商材の作成に利用される。
【００２２】
店頭受付機１は、注文者からマウス、タッチパッド、トラックボールなどのポインタ（カーソル）の移動を指示可能なポインティングデバイスやタッチパネルなどの各種操作装置、表示装置、ＣＰＵ、ＲＡＭ、ＲＯＭその他の情報処理装置を備えている。店頭受付機１は、画像プリントの作成に使用する画像、画像プリントの種類、レイアウトの選択とその選択結果の表示、画像プリントの作成注文の確定指示の受け付けを行う。店内ワークフローＰＣ２は、店頭受付機１に入力された画像とレイアウトの指示に応じたプリントデータの作成と、当該プリントデータのプリンタ３ａ〜ｆへの送信を行う。
【００２３】
店内ワークフローＰＣ２は、各プリンタ３ａ〜ｆによるプリントジョブの統括制御を司る。店内ワークフローＰＣ２のユーザはエンドユーザではなく専門のオペレータである。
【００２４】
店頭受付機１および店内ワークフローＰＣは、コンピュータ（ＣＰＵ，ＲＡＭ，ＲＯＭなど演算処理に必要な回路、データ記憶媒体、データ入出力回路、表示回路、操作装置、通信回路などを備えたもの）で構成することができる。
【００２５】
プリンタ３ａ〜ｆは、店内ワークフローＰＣから送信された１単位のプリント注文に対応する１単位のプリントデータに従って画像プリントを出力する点では共通するが、１単位のプリントデータに対応する画像プリントの仕分け装置（ソータ）を有しているものと有していないものが混在している。プリンタ３ａ、ｂはソータおよび裏面印字機能を有していないものとする。プリンタ３ｃ〜ｆはソータまたは裏面印字機能を有していてもよい。プリンタ３の印字方式は任意であって、例えば、インクジェット方式、レーザー方式、昇華型熱転写方式、ドットインパクト方式が挙げられる。
【００２６】
なお、図１のシステム構成は一例であって、これと同等の構成を有するプリントシステムであれば、本発明の実施は可能である。また、図示の個々のブロックが必ずしも別々の電子機器に構成されている必要はなく、各ブロックが同一の電子機器に一体的に構成されていても本発明の実施は可能であり、特定の機器構成に依存して実施されるものではない。例えば、店内ワークフローＰＣ２が店頭受付機１の備える手段の一部または全部（例えばレイアウト選択手段、画像読み取り手段、画像選択手段）を兼ねていてもよい。店頭受付機１は複数存在してもよい。
【００２７】
図２は店内ワークフローＰＣ２の内部ブロック図を示す。店内ワークフローＰＣ２は、オーダー受付部２１、オーダー情報記憶部２２、オーダー管理部２３、操作部２４、表示部２５、プリンタ情報管理部２６、オーダー送信部２７を備える。
【００２８】
オーダー管理部２３は、コンピュータ（ＣＰＵ，ＲＡＭ，ＲＯＭなど演算処理に必要な回路とデータ記憶媒体）で構成される。オーダー管理部２３は、データ記憶媒体に記憶されたプログラムを実行することで、店内ワークフローＰＣ２の内部ブロックを統括制御する。
【００２９】
オーダー受付部２１は、ネットワーク８を経由して店頭受付機１からプリント注文情報などのデータを受信する回路である。店頭受付機１からオーダー受付部２１を介して受け付けられたプリント注文情報は、ハードディスクユニットなどのデータ記憶媒体で構成されたオーダー管理部２３に記憶される。
【００３０】
操作部２４は、キーボード、タッチパネル、マウス、音声認識回路、視線認識回路といった各種のユーザインターフェースで構成され、ユーザからの指示を受け付けオーダー管理部に送る。
【００３１】
表示部２５は、液晶ディスプレイなど情報を表示する手段であり、その表示内容はオーダー管理部２３によって制御される。
【００３２】
オーダー送信部２７は、オーダー管理部２３の作成したプリントデータをネットワーク８経由でプリンタ３に送信する回路である。オーダー受付部２１とオーダー送信部２７とは同一のネットワークインターフェース（ＬＡＮカードなど）で構成されてもよい。
【００３３】
プリンタ情報管理部２６は、各プリンタ３のオーダー処理状況を各プリンタ３からネットワーク８経由で受信して記憶する回路である。
【００３４】
以下、図３のフローチャートを参照し、プリントシステム１００の実行するプリント処理の流れを説明する。この処理は店内ワークフローＰＣ２によって制御される。この処理を店内ワークフローＰＣ２のオーダー管理部２３（以下簡略のためＰＣ２と表記）のＣＰＵ（中央処理装置）に実行させるためのプログラムは店内ワークフローＰＣ２に内蔵あるいは接続されたコンピュータ読み取り可能な記録媒体（ＲＯＭ、フラッシュメモリ、ＤＶＤ、ＣＤＲＯＭ、ＭＯ、穿孔テープなどなど）に記録されており、店内ワークフローＰＣ２のＣＰＵがこの記録媒体から上記プログラムをＲＡＭにロードして実行する。
【００３５】
Ｓ１では、ＰＣ２は、店頭受付機１に入力されたプリント注文情報、すなわち画像とプリントの属性情報（画像のレイアウトなど）のデータセットを、ネットワーク８を介して入力する。ＰＣ２は、１単位のプリント注文が店頭受付機１に入力されるごとに、その注文に対応する１または複数の画像と属性情報を注文単位かつ注文者の識別情報（注文者ＩＤ）ごとに生成したフォルダなどの格納単位でＨＤＤなどに保存する。よってＰＣ２は、注文者ごとの複数の単位のプリント注文情報をデータ上で区別し保存している。またＰＣ２は、受け付けたプリント注文情報に所定の規則に従って処理順序を付与する。例えば、ＰＣ２は、店頭受付機１がプリント注文を受け付けた時刻の早い順をプリント注文情報の処理順序とする。これによりＰＣ２が注文者ごとに受け付けたプリント注文情報は、所定の処理順序に従ったプリントデータの作成を待つキュー（作成キュー）を形成する。作成キューは、表示部２５に表示される。図４は、作成キューの例を示す。図５は、作成キューの表示例を示す。
【００３６】
Ｓ２では、ＰＣ２は、各プリンタ３のソータの備えつけ状態（「ソータあり」または「ソータなし」）とソータの動作状態（「正常」または「異常」）を含むプリンタ状態情報を送信するようプリンタ情報管理部２６を介して各プリンタ３に要求し、その要求の結果各プリンタ３から送信されたソータ状態を受信し、プリンタ情報管理部２６に記憶する。
【００３７】
Ｓ３では、ＰＣ２は、プリンタ情報管理部２６のプリンタ状態情報に基づいて各プリンタ３のソータの備えつけ状態をプリンタ３ごとに判別する。あるプリンタ３についてソータの備えつけ状態が「ソータあり」であればＳ４に進み、「ソータなし」であればＳ６に進む。
【００３８】
Ｓ４では、ＰＣ２は、プリンタ情報管理部２６のプリンタ状態情報に基づいて、「ソータあり」の各プリンタ３のソータの動作状態を判別する。「ソータあり」のプリンタ３のうちいずれか１つのプリンタ３のソータの動作状態が「正常」であればＳ５に進み、「ソータあり」のプリンタ３のいずれのソータの動作状態も「異常」であればＳ６に進む。
【００３９】
Ｓ５では、ＰＣ２は、プリント注文情報ごとのプリントデータを送信キューの先頭から順次作成する。これによりＰＣ２は、プリンタへの送信を待つプリントデータのキュー（送信キュー）を形成する。ＰＣ２は、送信キューのプリントデータを、「ソータあり」かつ「正常」のプリンタ３のうち所望のものにネットワーク８経由で送信し、プリントデータに基づくプリントジョブの開始を要求するようオーダー送信部２７を制御する。
【００４０】
ここで、ＰＣ２のオーダー管理部２３は、プリント注文ごとにプリントデータの送信先となることが可能な選択候補プリンタ３ａ〜ｆを判別してこれを表示部２５に提示するとともに、選択候補プリンタ３ａ〜ｆの中から所望のプリンタ３ｘを操作部２４を介して選択を受け付け、プリンタ３ａ〜ｆのうち選択されたプリンタ３ｘにプリントデータを送信してもよい。
【００４１】
オーダー管理部２３による選択候補プリンタ３ａ〜ｆの判別の一例には、プリンタ３ａ〜ｆのジョブが「レディ」であるか「ビジー」であるかの判別、プリント注文情報に含まれるプリント種類にプリンタ３ａ〜ｆが適合するか否かの判別、あるいはそれらの両方の判別が含まれうる。
【００４２】
図６は表示部２５による選択候補プリンタの表示例である。図６では、１番目の送信キューに対応するオーダーＩＤ「０００００１」のプリントデータは、ユーザＩＤ（ユーザ名）「Ａさん」から受け付けられたプリント注文情報に対応し、そのプリント注文情報に対応するプリント種類は「デジカメプリント（Ｌ）」であり、デジカメプリント（Ｌ）に対応可能なプリンタ３ａで処理されている。
【００４３】
また、２番目の送信キューに対応するオーダーＩＤ「０００００２」のプリントデータは、ユーザＩＤ（ユーザ名）「Ｂさん」から受け付けられたプリント注文情報に対応し、そのプリント注文情報に対応するプリント種類は「デジカメプリント（Ｌ）」であり、プリンタ３ｂで処理されている。
【００４４】
５番目の送信キューに対応するオーダーＩＤ「０００００５」のプリントデータは、ユーザＩＤ（ユーザ名）「Ｂさん」から受け付けられたプリント注文情報に対応し、そのプリント注文情報に対応するプリント種類は「フォトブック」である。
【００４５】
また、６番目の送信キューに対応するオーダーＩＤ「０００００６」のプリントデータは、ユーザＩＤ（ユーザ名）「Ｃさん」から受け付けられたプリント注文情報に対応し、そのプリント注文情報に対応するプリント種類は「デジカメプリント（Ｌ）」である。この「デジカメプリント（Ｌ）」を処理可能なプリンタ３ａ・３ｂはすでにオーダＩＤ「０００００１」および「０００００２」で占有されている（ビジー状態）ため、「０００００６」のジョブの送信は保留されている。
【００４６】
ＰＣ２のオーダー管理部２３は、プリンタ状態情報として、各プリンタ３の対応可能なプリント種類、ジョブのビジー状態、ビジーのジョブに対応するユーザＩＤを送信するようプリンタ情報管理部２６を介して各プリンタ３に要求し、その要求の結果各プリンタ３から送信されたプリンタ状態情報を受信し、プリンタ情報管理部２６に記憶する。
【００４７】
そして、オーダー管理部２３は、プリンタ情報管理部２６のプリンタ状態情報に基づいて、キューの先頭から順次、未処理のジョブのうち当該ジョブの種類に対応可能な「レディ」のプリンタである選択候補プリンタ３ｘを判別し、判別された選択候補プリンタ３ｘを示す情報、例えばメッセージＭＳを表示部２５に提示する。
【００４８】
あるいは、ＰＣ２は、プリンタ３ａ〜ｆのうちプリントジョブのキューが最小のものを選択し、その選択されたプリンタ３ｘにプリントデータを送信してもよい。
【００４９】
ネットワーク８経由のプリントデータの送信の態様は任意であるが、典型的には各プリント注文に係る画像データと属性情報の各々をIPパケット化して順次プリンタ３ｘに送る。
【００５０】
なお、プリンタ３ｃ〜ｆは、Ｓ５にてＰＣ２からプリントジョブの要求を受けた後でも、ソータが正常に動作しているか否かを検出し、その状態をＰＣ２に返信する。ＰＣ２は、プリンタ３ｃ〜ｆからソータが正常に動作していない状態を受信した場合、送信キューから正常に動作していないプリンタ３ｃ〜ｆへのプリントデータの送信処理を中断する。
【００５１】
Ｓ６では、ＰＣ２は、プリント注文情報ごとのプリントデータを送信キューの先頭から順次作成する。これによりＰＣ２は、プリンタへの送信を待つプリントデータのキュー（送信キュー）を形成する。ＰＣ２は、送信キューの先頭のプリントデータを、「ソータなし」または「異常」のプリンタ３のうち所望のものにネットワーク８経由で送信し、プリントデータに基づくプリントジョブの開始を要求する。
【００５２】
ここで、ＰＣ２は、プリント注文ごとにプリントデータの送信先となるプリンタ３ａ〜ｆを操作部２４を介して選択を受け付け、プリンタ３ａ〜ｆのうち選択されたもの（プリンタ３ｘとする）にプリントデータを送信してもよい。あるいは、ＰＣ２は、プリンタ３ａ〜ｆのうちプリントジョブのキューが最小のものを選択し、その選択されたプリンタ３ｘにプリントデータを送信してもよい。ネットワーク８経由のプリントデータの送信の態様は任意であるが、典型的には各プリント注文に係る画像データと属性情報の各々をIPパケット化して順次プリンタ３ｘに送る。
【００５３】
Ｓ７では、ＰＣ２はプリンタ３が１単位のプリント注文に対応するプリントジョブを完了したか否かを判断する。Ｙｅｓの場合
、ＰＣ２は、プリンタ３が１単位のプリント注文に対応するプリントジョブが終了した旨のメッセージの映像信号を表示回路にて生成し、この映像信号を表示部２５に出力する。メッセージは音声再生回路とスピーカから出力されてもよい。
【００５４】
ＰＣ２は、プリンタ３ｘでプリントが完了したプリントデータ以降の送信キューについての送信処理を中断する。なおＰＣ２はプリントデータの送信処理を中断する代わりにプリントデータの作成処理を中断してもよい。
【００５５】
Ｓ９では、ＰＣ２は、Ｓ５によるプリントデータ送信処理の中断を解除する送信キューを選択する指示の入力を操作部２４を介して受け付けたか否かを判断する。当該指示は、中断を解除するプリントデータの送信先となるプリンタの送信先の選択および／または中断を解除するプリントデータに対応する注文者ＩＤの選択を含む。
【００５６】
なお、当該指示は、オペレータが１単位のプリント注文に対応するプリントジョブの実行によってプリントされた画像プリントを回収したことに応じて入力されることができる。中断を解除する指示を受け付けた場合、Ｓ２に戻り、ＰＣ２は、中断の解除が指示された送信キューに対するプリントデータの送信処理を再開する。ここで、ＰＣ２は、指示の内容として中断の解除されたプリントデータの送信先となるプリンタの送信先が選択された場合は、選択されたプリンタに対して送信キューの先頭のプリントデータを送信する。ただしＰＣ２は、送信キューを構成するプリントデータの中から所望のプリントデータを選択して送信する指示が操作装置から入力されれば、その指示に従って選択されたプリントデータを送信する。つまり、ＰＣ２が送信を再開するプリントデータは送信キューの先頭でなくてもよい。
【００５７】
あるいはＰＣ２は、指示の内容として中断の解除されたプリントデータに対応する注文者ＩＤが選択された場合は、選択された注文者ＩＤに対応するプリントデータを送信キューから選択して所望のプリンタ３ｘに送信する。この場合もＰＣ２は、送信先となるプリンタ３ｘを操作装置から任意に選択させ、選択指示されたプリンタ３ｘに選択された注文者ＩＤに対応するプリントデータを送信してもよい。
【００５８】
なおＰＣ２は、プリントデータの送信処理を中断する代わりにプリントデータの作成処理を中断した場合は、選択されたプリントデータを作成して送信する。
【００５９】
なお、Ｓ９の後、ＰＣ２は、全ての送信キューに対するプリントデータの作成および送信処理を完了したか否かを判断し、完了の場合は本処理を終了する。
【００６０】
以上の処理により、送信キューの送信ジョブはプリントが完了するごとに中断され、オペレータからの指示で以降の送信キューの処理が再開する。複数のプリント注文があっても、異なるプリント注文に対するプリントが混ざってプリンタ３から出力されることがないので、オペレータはプリント注文単位で完了したプリントを回収してそれらをプリント注文単位で仕分けすることができる。
【００６１】
＜第２実施形態＞
第１実施形態のプリント処理のＳ６では、ジョブをプリント種類ごとに分類した上、ジョブを、当該ジョブのプリント種類に対応可能な「レディ」のプリンタ３にオーダーＩＤ順に送信していた。
【００６２】
しかし、オーダーＩＤ順にジョブを送信するのではなく、プリンタ３に送るジョブをその注文者に従って選択可能にしてもよい。
【００６３】
具体的には、まず、ＰＣ２は、プリンタ情報管理部２６のプリンタ状態情報に基づいて、作成キューのジョブをプリント種類ごとかつ注文者識別情報ごとに分類する。さらにＰＣ２は、注文者識別情報ごとのジョブのプリント種類に対応可能なプリンタ３である対応可能プリンタを特定し、特定された対応可能プリンタを注文者識別情報ごとに分類した注文者−プリンタテーブルを作成する。
【００６４】
図７は注文者−プリンタテーブルの一例である。図７のテーブルは、ユーザごとのプリント注文情報に対応するプリント種類にプリンタ３ａ〜ｆが適合するか否かの判別結果も示している。なおＰＣ２は、ジョブが発生する度にこのテーブルを更新する。
【００６５】
ＰＣ２は、注文者−プリンタテーブルに基づき、ジョブが「レディ」の対応可能プリンタに対応する注文者である選択可能注文者を表示部２５を介して通知する。
【００６６】
一例として、図８では選択可能注文者の通知例として、選択候補プリンタの一覧の中の「Ｃさん」のジョブが強調表示されている。これは、「Ｃさん」からの「シャッフルプリント」ジョブに対応するプリンタ３ｃが「レディ」だからである。なお、図示は省略するが、どのプリンタ３も「レディ」ならば、どの注文者も選択可能注文者となる。
【００６７】
なお、本実施形態でも、ビジー状態のプリンタに対して、異なるユーザから同一のプリント種類に関する複数のジョブを送信すべき場合は、第１実施形態と同様に、ユーザごとにジョブの送信を行う。
【符号の説明】
【００６８】
１：店頭受付機、２：店内ワークフローＰＣ、３：プリンタ
【図１】
2011164414.tif 000003
【図２】
2011164414.tif 000004
【図３】
2011164414.tif 000005
【図４】
2011164414.tif 000006
【図５】
2011164414.tif 000007
【図６】
2011164414.tif 000008
【図７】
2011164414.tif 000009
【図８】
2011164414.tif 000010